(57)【特許請求の範囲】
【請求項１】
捕獲器具であって、
−チューブセクション（２）からスリットを設けて曲げ広げることによって一体的に形成された捕獲構造（１）を有し、前記捕獲構造が、近位のベース部分（３）と、近位のベース部分（３）から軸方向前方へ延びる遠位の捕獲部分（４）と、を有し、また、前記捕獲構造が、捕獲部分が拡げられて被覆（６）から出て前方へ移動した捕獲位置と、前記捕獲部分がしっかりとたたみ込まれて被覆内へ戻るように移動した固持位置と、の間で移動可能である、捕獲器具において、
−前記捕獲部分（４）が、広げられた状態において、遠位の捕獲開口部（７）を備えたゴブレット形状を有し、この構成のために、チューブセクション（２）の遠位の端部領域には、チューブセクションの遠位端部の方向から形成された、適切な長さの複数の開放した軸方向のスリット（１０）、が設けられており、前記複数の開放した軸方向のスリットの間には、複数の閉鎖された軸方向のスリット（１１）が設けられており、
前記複数の閉鎖された軸方向のスリット（１１）は、前記チューブセクションの遠位端部に近接して終了し、前記開放した軸方向のスリットよりも長さが長く、前記複数の開放した軸方向のスリットと複数の閉鎖された軸方向のスリットとによって、複数のワイヤセクション（１２）が、前記チューブセクションから形成されており、前記チューブセクションを曲げ広げることによって、前記ワイヤセクション（１２）が、前記捕獲開口部の周囲部分を形成しており、
さらに、前記捕獲部分のゴブレット形状の最大の直径（ＤE）が、広げられた状態において、捕獲開口部の直径（ＤO）よりも大きい、
ことを特徴とする、
捕獲器具。
【請求項２】
さらに、チューブセクションから軸方向の開放したスリットと閉鎖されたスリットによって形成される、２つの隣接するワイヤセクションが、それぞれ、湾曲領域（１２ａ）を介して相互につながっており、前記湾曲領域の半径（ＲD）が、湾曲領域内のワイヤセクションの幅（ｂD）の少なくとも２．５倍の大きさである、ことを特徴とする、
請求項１に記載の捕獲器具。
【請求項３】
さらに、効果的な捕獲開口部の円の周囲の長さが、チューブセクションから軸方向の開放したスリットと閉鎖されたスリットとによって形成されるワイヤセクション（１２）の数（２ｎ）を、開放した軸方向のスリットの長さ（Ｌ）で乗算した積（２ｎＬ）の、７０％以上である、ことを特徴とする、
請求項１又は２に記載の捕獲器具。
【請求項４】
さらに、前記捕獲部分のゴブレット形状が、広げられた状態において、１つ又は複数の領域を有し、前記領域内で、前記ゴブレットの直径が、遠位の方向に、線形に又は漸増的に増加し、又は前記ゴブレットの直径の増加が、遠位の方向に、次第に減少する、ことを特徴とする、
請求項１から３のいずれか１項に記載の捕獲器具。
【請求項５】
さらに、前記捕獲構造、及び／又は被覆（６）、及び／又は被覆内で軸方向に移動可能に案内される、捕獲構造用の引っ張りワイヤ（５）には、全面に、あるいは部分面において、あるいは点状に、磁気共鳴（ＭＲ）マーキング材料（１６ａ、１６ｂ、１６ｃ、１６ｄ）が設けられている、ことを特徴とする、
請求項１から４のいずれか１項に記載の捕獲器具。
【発明の詳細な説明】
【技術分野】
【０００１】
本発明は、チューブセクションからスリットを形成して曲げ広げることによって一体的に形成された捕獲構造を有する、捕獲器具に関するものであって、その捕獲構造は近位のベース部分と、近位のベース部分から軸方向前方へ向かって延びる遠位の捕獲部分と、を有し、かつ、被覆から前方へ出るように移動された、広げられた捕獲部分を有する捕獲位置と、少なくとも部分的に被覆内へ戻るように移動された、しっかりとたたみ込まれた捕獲部分を有する固持位置と、の間で移動することができる。この種の捕獲器具は、特に医療用の捕獲器具として、好ましくは然るべきカテーテル器具を使用しながら、人又は動物の組織から異物、血の塊、石、あるいは他の沈殿物を除去もしくは捕獲することができるようにするために、使用される。
【背景技術】
【０００２】
この種の器具の既知のタイプにおいては、広げられた捕獲部分がバスケット形状を有し、すなわち捕獲バスケットを形成し、その捕獲バスケットは、たたみ込んで被覆内に収容されるように、かつその被覆から前方へ出るように移動させることができ、これによってバスケット形状に広がる。その場合に、石などは、ワイヤバスケットの長手軸線に対して横方向にその最大の直径及びそれに伴って最大の開口幅の領域内で、ワイヤバスケット内へ捕獲することができる。というのは、この領域内では、バスケットを形成する捕獲構造の隣接するワイヤ部分が、その最大の間隔を有し、これによってそこにバスケットの周側に相当する捕獲開口部が形成されるからである。ワイヤバスケットを少なくとも部分的に被覆内へ引き戻すことによって、ワイヤバスケットがたたみ込まれて、捕獲した対象を密に包囲して、これによってその対象をしっかりと保持する。次に、ワイヤバスケットは、被覆及び捕獲した対象と共に、該当する組織通路から出るように移動することができる。この種類の石捕獲バスケット器具又はバルーンカテーテルは、たとえば特許文献１及び特許文献２に開示されている。
【０００３】
この種の捕獲器具の他の既知のタイプは、いわゆる捕獲ループ器具であって、捕獲ループ器具において、捕獲構造は、１つあるいは複数の協働するワイヤループから形成されており、このワイヤループは、前側をルーズにしたり固定したりすることができる。たとえば特許文献３を参照。
【０００４】
特許文献４には、フィルタワイヤ構造が開示されており、このフィルタワイヤ構造は、組織通路内、特に血管内に留まるように位置決めされ、これによって、粒子もしくは血の塊を捕獲して、それによって塞栓症を防止するように、設計されている。フィルタワイヤ構造は、チューブセクションからスリットを形成して曲げ広げることによって一体的に形成されており、かつゴブレット形状を有し、そのゴブレット形状が遠位の端部において、前方へ向かい、かつやや径方向外側を向いたＶ字状の尖端をもって終了している。このＶ字状に尖った遠位のゴブレット端部は、チューブセクションの最も外側の遠位の終端部分内で、チューブセクションに付属の特別なスリットを形成することからもたらされる。この遠位のチューブセクション端部から形成される、複数の開放したスリットが、遠位のチューブセクション端部の前で距離をもって終了する、複数の開放したスリットの間に位置する、複数の閉鎖された軸方向のスリットと交互に設けられ、その場合に軸方向に重なり合った領域内では、軸方向の開放したスリットと閉鎖されたスリットとは、ほぼ等しい幅であって、チューブセクションからスリットの間に形成されるワイヤセクションよりもずっと幅狭である。遠位の端部には、開放したスリットが、円錐状に拡幅して前方へ向かって延びているので、遠位の端部において、ワイヤセクションのそれぞれ２つがつながり合う湾曲領域の半径は、最大でワイヤセクションのそこにおける幅の大きさにほぼ等しい。これによって、このワイヤセクション結合の前方へ向かって尖るＶ字形状は、フィルタワイヤ構造が曲げ広げられた後も変わらない。
【先行技術文献】
【特許文献】
【０００５】
【特許文献１】欧州特許第１８０９１８７（Ｂ１）号
【特許文献２】独国特許出願公開第１９７２２４２９（Ａ１）号
【特許文献３】国際公開第０２／０７８６３２（Ａ２）号
【特許文献４】米国特許出願公開第２００５／０１６５４４２（Ａ１）号
【発明の概要】
【発明が解決しようとする課題】
【０００６】
本発明の技術的な課題は、良好な捕獲機能性と高い機能信頼性を提供し、かつ比較的わずかな手間と費用で形成される、冒頭で挙げた種類の捕獲器具を利用できるようにすることである。
【課題を解決するための手段】
【０００７】
本発明はこの問題を、請求項１の特徴を有する捕獲器具を用意することによって解決している。この捕獲器具において、捕獲部分は広げた状態において遠位の捕獲開口部を備えたゴブレット形状を有している。この場合に捕獲開口部というのは、ここでは捕獲構造の最大の開口幅の領域を意味し、この領域は、捕獲すべき対象がこの領域を通して捕獲構造の内部へ達するように定められ、かつ整えられている。この目的のために、捕獲構造を形成するために使用されるチューブセクションの遠位の端部領域内へ、チューブセクション端部から適切な長さの複数の開放した軸方向のスリットと、遠位のチューブセクション端部の前で距離をもって終了する、複数の開放した軸方向のスリットの間に位置する複数の閉鎖された軸方向のスリットが形成されており、この場合に、閉鎖された軸方向のスリットは開放した軸方向のスリットよりも長く、したがって近位の方向に開放した軸方向のスリットを越えて延びている。軸方向の開放したスリットと閉鎖したスリットとの間に残るチューブセクション領域が、ワイヤセクションを形成し、そのワイヤセクションは、チューブセクションを曲げ広げることによって捕獲開口部の周囲部分を形成する。捕獲部分は、必要な場合には、捕獲構造が完全に被覆内へ戻るように移動される場合に、広げられたゴブレット形状の状態から、再び完全にチューブセクションに相当する形状へたたみ込み、もしくはたたんでまとめることができる。
【０００８】
本発明に係る捕獲器具によって、身体組織内の石及び他の粒子を好ましいやり方で前方から捕獲することができ、すなわち、これらは前方から遠位の捕獲開口部を通して軸方向にゴブレット形状に広げられた捕獲部分内へ達する。そのために、捕獲構造は、同様に、軸方向前方へ移動することができる。このようにして、遠位の方向において組織壁の近傍に位置する粒子も、問題なく捕獲される。本発明に係る器具は、フィルタ又はステントの形式で血管及び他の身体の管から異物を除去し、もしくは捕獲するために使用することもできる。
【０００９】
本発明に係る捕獲器具は、その捕獲構造がパイプから一体的に形成されることにより、比較的わずかな手間と費用で形成され、そのチューブセクションはこの目的のために既知のやり方でスリットを形成されて、曲げ広げられる。ワイヤセクションを結合するための溶接箇所は、省くことができる。遠位のチューブセクション端部において開口して開くスリットが適切な長さを有することによって、チューブセクションから軸方向の開放したスリットと閉鎖されたスリットによってその軸方向の重なり領域内に形成されるワイヤセクションが、捕獲開口部の周を、すなわち広げられた捕獲部分のゴブレット形状の遠位の端縁を、形成する。したがって開放した軸方向のスリットの長さによって、周囲の長さとそれに伴って捕獲横断面もしくは捕獲ゴブレットの開口幅も予め定められる。開放した軸方向のスリットの長さが増すにつれて、捕獲ゴブレットの周囲の長さ及びそれに伴って捕獲横断面も増大する。閉鎖された軸方向のスリットは、近位において開放した軸方向のスリットを越えて延びているので、それらが近位の領域内でチューブセクションを開放した軸方向のスリットの後方で後方のワイヤセクションへ分割し、それらのワイヤセクションが広げられた状態において捕獲ゴブレットのためのゴブレット本体を形成し、その場合にこのゴブレット本体がその遠位の端部において、説明したように、前方のワイヤセクションによって形成されるゴブレット端縁をもって終了している。その場合に各後方のワイヤセクションが、２つの前方のワイヤセクションに分岐する。
【００１０】
本発明の展開において、チューブセクションから軸方向の開放したスリットと閉鎖されたスリットによって形成される、それぞれ隣接する２つの前方のワイヤセクションが、湾曲領域を介してつながり、その湾曲領域の半径ＲDは湾曲領域内のワイヤセクションの幅ｂDの少なくとも２．５倍の大きさ、すなわちＲD＝２．５ｘｂDである。ワイヤセクションはこの寸法設計措置によってゴブレット端縁を形成しながら、破断の危険なしに、極めて効果的に曲げ広がり、その場合に使用中に組織損傷のリスクをもたらすおそれのある、ゴブレット端縁領域の尖りが回避されることが明らかにされている。
【００１１】
本発明の展開において、捕獲開口部の周囲の長さＵは、チューブセクションから軸方向の開放したスリットと閉鎖されたスリットによって形成されるワイヤセクションの数２ｎを開放した軸方向のスリットの長さＬによって乗算した積の７０％以上であり、すなわちＵ≧０．７ｘ２ｎＬである。この寸法設計措置が、いずれにせよ軸方向に鈍角の、鋭角ではないＶ字状の部分を有するゴブレット端縁を備えた比較的大きい捕獲横断面を用意することを、可能にする。
【００１２】
それぞれ使用される曲げ広げ工程にしたがって、本発明の展開においては、広げられた状態において、ゴブレット直径が、遠位の方向に、線形に又は漸増的に増加し、又はゴブレット直径の増加が、遠位の方向に、次第に減少する領域を有する捕獲部分のための、様々なゴブレット形状が得られる。
【００１３】
本発明の展開において、広げられた状態において捕獲部分のゴブレット形状の最大の横断面は、捕獲開口部の横断面よりも大きい。これが、所定の適用場合において、捕獲した粒子をたたみ込まれた捕獲ゴブレット内にしっかりと保持することを容易にすることができる。
【００１４】
本発明の展開において、捕獲部分はチューブセクション内に他の、第２の閉鎖された軸方向のスリットを有しており、そのスリットは、前方へ向かってその遠位の端部をもって、第１の閉鎖された軸方向のスリットの遠位の端部と近位の端部の間の高さに延びており、後方へ向かってはその近位の端部をもって、第１の閉鎖された軸方向のスリットの近位の端部の後方に延びている。これが、この場合において第１と第２の閉鎖された軸方向のスリットによって形成されるゴブレット本体のワイヤ分岐する構造を可能にする。
【００１５】
本発明の展開において、捕獲構造及び／又は被覆及び／又は被覆内で軸方向に移動可能に案内される、捕獲構造用の引っ張りワイヤには、全面又は部分面あるいは点状に磁気共鳴（ＭＲ）マーカー材料が設けられている。これが、その捕獲構造がＭＲ視認可能であることによって、捕獲器具を然るべき適用において効果的に使用することを、可能にする。
【００１６】
本発明の好ましい実施例を図面に示し、以下で詳細に説明する。
【図面の簡単な説明】
【００１７】
【図１】ゴブレット形状の捕獲部分を有する捕獲器具を図式的に示す縦断面図である。
【図２】図１の捕獲器具の捕獲部分を示す斜視図である。
【図３】粒子捕獲プロセスを説明するために、図１の捕獲部分を図式的に示す側面図である。
【図４】図１の器具の捕獲構造のためのスリットを有するチューブセクションの展開図である。
【図５】図４のスリットを有するチューブセクションの遠位のワイヤセクション結合領域の詳細を示す図である。
【図６】ゴブレット形状の捕獲部分を形成するために、スリットを有する図５のチューブセクションを曲げ広げた図である。
【図７】ゴブレット形状の捕獲部分を示す上面図である。
【図８】直径の増大が遠位方向に減少する捕獲構造を図式的に示す側面図である。
【図９】遠位方向に直線的に増大する捕獲ゴブレット直径を有する捕獲構造を、図８と同様に示す側面図である。
【図１０】遠位方向に漸増的に増大する捕獲ゴブレット直径を有する捕獲構造を、図８と同様に示す側面図である。
【図１１】４つでなく３つの後方の捕獲本体のワイヤセクションと整数のＭＲマーカーコーティングとを有する他の捕獲ゴブレットを図７と同様に示す上面図である。
【図１２】部分平面状及び点状に塗布されたＭＲマーカー材料を有する変形例を図１１と同様に示す上面図である。
【図１３】部分平面的にＭＲマーカー材料を有する領域を示す、図１２の詳細図である。
【図１４】点状に塗布されたＭＲマーカー材料を有する、図１２の詳細図である。
【図１５】シャフト領域内にＭＲマーカー材料を有する図１の器具を示す詳細図である。
【図１６】図１の器具に使用することができるような、ＭＲマーカー材料を有する被覆を示す側面図である。
【発明を実施するための形態】
【００１８】
図１から７に示す捕獲器具は、捕獲構造１を有しており、その捕獲構造は、図４に展開して示すチューブセクション２からスリットを形成して曲げ広げることによって一体的に形成されている。捕獲構造１は、近位のスリットのないベース部分３と、それから軸方向前方へ延びる遠位の捕獲部分４とを有している。
【００１９】
捕獲構造１は、その近位の終端領域において引っ張りワイヤと称される操作部材５によって遠位の終端領域と結合されており、その操作部材は被覆６内で軸方向に移動可能に案内されている。結合は、好ましくは、たとえば接着又は溶接結合によって、捕獲構造１の近位の終端部分がそのままで、軸方向に移動しないように操作部材５の遠位の終端領域と結合されることによって、実現されている。それによって捕獲構造１は、操作部材５の然るべき軸方向の操作運動によって軸方向前方へも、軸方向後方へも移動することができる。引っ張りワイヤ５と被覆６は、好ましくは弾性的に撓むことができる材料から形成されている。図１において捕獲構造１は、捕獲位置で示されており、その捕獲位置において捕獲構造は被覆６から完全に前方へ出るように移動されており、かつ捕獲部分４が完全に広げられた状態をとっている。引っ張りワイヤ５を引き戻し、及び／又は被覆６を押し出すために、捕獲構造１は被覆６内へ完全に引き込むことができ、その場合にその捕獲部分４がたたみ込まれ、すなわち被覆６の内径までたたみ込まれる。捕獲部分４は、この完全にたたみ込まれた位置において、大体において図４に示す、チューブセクション３にスリットを形成して曲げ広げる前に存在するような、形状をとる。捕獲構造１を得るためにチューブセクション３にスリットを形成して曲げ広げるための技術は、当業者には周知である。捕獲構造１のために、それに適した材料が使用され、その材料は弾性的に曲がって広がり、かつ粘結又は硬化のような処理プロセスによって弾性的に曲げ広げた状態に固定される。そのためにたとえば、ＮｉＴｉ合金のような、超弾性的な材料が一般に用いられる。
【００２０】
特に図１から３に明らかなように、捕獲部分４は展開された状態において遠位の捕獲開口部７を備えたゴブレット構造を有しており、その捕獲開口部が同時に捕獲構造１の最大の開口幅を表す。したがってこの捕獲器具は医療用の適用においては、たとえば石捕獲器具として、患者の身体組織内の石又は粒子を前から捕獲部分４内へ捕獲するために用いられる。これがこの器具を従来の捕獲バスケット構造から区別し、その従来のものにおいては粒子が器具長手軸に対して横方向に、すなわち径方向に、前と後ろがほぼ閉鎖したワイヤバスケット内へ捕獲される。
【００２１】
図３は、粒子８、たとえば腎石を前から捕獲開口部７を通して器具及びそれに伴ってゴブレット形状の捕獲部分４の長手軸線９に対して平行に近位方向Ｐに、このように捕獲することを示している。これが、前方と後方が閉鎖した捕獲バスケットを有する器具に比較して捕獲プロセスを容易にすることができる。というのは、捕獲プロセスのために器具は、第１に軸方向のみに移動させればよく、横方向に移動させる必要がないからである。さらに、これは、粒子が軸方向においてその後ろに位置する脈管壁のすぐ前にある場合に、粒子の捕獲を容易にすることができる。
【００２２】
特に図２と４から明らかなように、チューブセクション２はスリットを形成する場合に特殊なスリット構造を設けられ、そのスリット構造は遠位のチューブセクション端部において開放して開口するスリット１０と、距離をおいて遠位のチューブセクション端部の前で終了する、中間に位置する閉鎖された軸方向のスリット１１とを有している。閉鎖された軸方向のスリット１１は、遠位の開放したスリット１０を越えて近位方向に後方へ延びている。このスリット構造によって、該当する遠位のチューブセクション部分から、第１の前方のワイヤセクション１２と第２の後方のワイヤセクション１３が形成されている。その場合に前方のワイヤセクション１２は、開放したスリット１０と閉鎖されたスリット１１が重なり合う軸方向の領域内にあり、その場合に開放したスリット１０と閉鎖されたスリット１１は周方向に交代する。後方のワイヤセクション１３は、閉鎖されたスリット１１が開放したスリット１０を越えて近位に延びる軸方向の領域内にある。その場合に移行領域において、各後方のワイヤセクション１３が２つの前方のワイヤセクション１２に分岐する。
【００２３】
閉鎖されたスリット１１が遠位のチューブセクション端部の前で終了する間隔が、湾曲したワイヤセクション領域１２ａのワイヤセクション幅ｂDを定め、その間隔を介して各前方のワイヤセクション１２が隣接する前方のワイヤセクション１２と遠位で関わり合う。図示の例においては半円形状に湾曲したこのワイヤ結合領域１２ａの幅ｂDは、たとえば、図５から明らかなように、それと結合された前方のワイヤセクション１２の幅にほぼ相当することができる。さらに図５から明らかなように、この湾曲したワイヤ結合領域１２ａの曲率半径ＲDは、ワイヤ結合領域１２ａの直径もしくは幅ｂDよりもずっと大きい。然るべきスリット形成によって、この距離半径ＲDはこのワイヤセクション幅ｂDの少なくとも２．５倍、すなわちＲD≧２．５ｘｂDである。その結果、スリットを形成されたチューブセクションを捕獲部分４のゴブレット形状へ曲げ広げる場合に、前方のチューブセクション１２はその湾曲した結合領域１２ａ内で、ワイヤ結合領域１２ａ内の破断の危険なしに、比較的大きくなる場合のある所望の曲げ広げ角度まで曲げ広げることができ、その場合に必要に応じて、捕獲構造１のために遠位の方向に鋭く近づくように延びる各終端構造が回避される。図６は、結合領域１２ａを介して結合された２つのワイヤセクション１２をその破線で示す平行な初期位置から１８０°曲げ広げられた位置へ曲げ広げる例を示している。
【００２４】
チューブセクション２の上述したスリット構造によって、捕獲部分４が所望のように遠位の捕獲開口部７を有する上述したゴブレット形状に曲げ広げられる。その場合に、図２から明らかなように、後方のワイヤセクション１３がゴブレット本体を、そして前方のワイヤセクション１２が捕獲ゴブレット４の周端縁１４、すなわち遠位の捕獲開口部７の端縁、を形成する。したがって前方のワイヤセクション１２の長さ及びその数が、捕獲ゴブレット４の遠位の端縁の最大の長さを定め、もしくは形成する。換言すると、図４に示すように、遠位の開放したスリット１０がチューブセクション２に適切な長さＬで形成され、その長さは、捕獲部分４を所望のゴブレット形状に曲げ広げることができるように選択されており、その場合にゴブレット端縁及びそれに伴って流入開口部７の実効進入横断面の周囲も、開放したスリット１０及びそれに伴って前方のワイヤセクション１２のこの長さＬにより、かつ前方のワイヤセクション１２がそのワイヤ結合領域１２ａにおいて曲げ広げられる寸法によって定められる。
【００２５】
図４に示す例において、スリット構造はそれぞれ４つの遠位の開放したスリット１２と４つの閉鎖したスリット１１を有し、したがって４つの数ｎの後方のワイヤセクション１１と２倍の８つの数２ｎの前方のワイヤセクション１２を有している。なお、本発明の代替的な変形例において、任意の数ｎの閉鎖された、もしくは遠位の開放したスリットを設けることができ、すなわち数ｎは１より大きい任意の整数とすることができる。
【００２６】
上述した寸法比率は、図７に示すような、捕獲ゴブレット４もしくはその捕獲開口部７の上面図を用いて説明される。図７の例の開放又は閉鎖したパイプスリットの数ｎ＝４及びそれに伴って４つの後方のワイヤセクション１１の数ｎ＝４と８つの前方のワイヤセクション１２の２倍の数２ｎ＝８から明らかなように、ゴブレット端縁４は、８つの前方のワイヤセクション１２にその４つの結合領域１２ａを加えて形成される。したがってこのゴブレット端縁の長さは大体において、前方のワイヤセクション１２の長さＬの約８倍に、それに対してずっと小さい大きさの４つのワイヤ結合領域１２ａを加えたものとなる。ゴブレット端縁１４は、軸方向に投影して、内円ＥIと外円ＥAとの間に位置し、その場合に外円ＥAが捕獲ゴブレット４の外径を定め、内円ＥIが捕獲開口部円を表し、その捕獲開口部円はゴブレット端縁１４に縁取られた捕獲開口部７を近似的に良好に表している。
【００２７】
前方のワイヤセクション１２がそのワイヤ結合領域１２ａにおいて、図６の例におけるように、約１８０°曲げ広げられた場合に、ほぼ平面内に位置するゴブレット端縁４が生じ、かつゴブレット端縁４の周囲の長さは捕獲開口部円ＥIの周囲の長さＵよりわずかに大きいだけであって、その周囲の長さはその半径ＲEからＵ＝２πＲEの関係によって定められる。換言すると、この実効捕獲開口部円ＥIの周囲の長さＵは、ゴブレット端縁４の実際の周囲の長さよりわずかに小さいだけであって、この実際の周囲の長さは、チューブセクション２から形成されたワイヤセクション１２、１３の軸方向の開放したスリット１０と閉鎖したスリット１１の数２ｎを開放した軸方向のスリット１０の長さＬで乗算した積２ｎＬにワイヤ結合領域１２ａによる長さを加えたものによって与えられる。
【００２８】
したがって遠位の開放したスリット１０の充分に大きい長さＬを選択することによって、所望の大きさの捕獲横断面を有する捕獲開口部７が準備される。前方のワイヤセクション１２がそのワイヤ結合領域１２ａにおいて１８０°より小さい角度だけ曲げ広げられた場合には、より小さい曲げ広げ角度によってゴブレット端縁４の波形の推移が生じ、それによってゴブレット端縁長さは実効捕獲開口部円ＥIの周囲の長さＵに比較して幾分増大する。好ましい実施形態において、捕獲開口部円ＥIの周囲の長さＵは、前方のワイヤセクション１２の数２ｎとその長さＬの積２ｎＬの少なくとも７０％の値に維持される。それによって比較的大きい捕獲開口部７と適度に波打ったゴブレット端縁１４の推移とを有する捕獲部分４の好ましいゴブレット形状がもたらされる。
【００２９】
捕獲ゴブレット４のために、スリットを形成された遠位のチューブセクション領域内へ曲げ広げるために挿入される適切な曲げ型を使用することによって、任意の所望の形状が実現される。図８から１０は、３つの代表的な例を示している。図８の実施変形例においては、捕獲構造は捕獲部分４ａを有しており、その捕獲部分はベース部分３から遠位の方向へ拡幅がだんだんと少なく、すなわち線形より弱くなっている。その場合に捕獲領域は、遠位の捕獲開口部７の前に距離をおいて最大の直径ＤEもしくは横断面を占め、そこから捕獲開口部７の幾分小さい直径ＤOもしくは横断面へ狭まっている。捕獲ゴブレット４ａの遠位の狭まりは、捕獲した対象の確実な保持を支援することができる。
【００３０】
図９に示す変形例においては、捕獲ゴブレット４ｂは、ベース部分３から遠位の方向へその拡幅直径を線形に増大させながら延びている。図１０に示す実施変形例においては、捕獲ゴブレット４ｃは、ベース部分３から始まって遠位の方向へ漸増的に、すなわち線形より強くその直径を増大させながら延びている。なお、図９と１０のゴブレット変形例も、捕獲ゴブレット７が被覆６内へ引き戻されて、そのゴブレットワイヤ構造がたたみ込みによって引き絞られて捕獲された対象にぴったり添接し、その対象を静止摩擦力によって前へ滑り抜けないようにすることによって、捕獲した対象の確実な保持を可能にする。
【００３１】
図１１から１６は、本発明に係る捕獲器具の好ましい形態を示しており、その形態は特にＭＲ適用に適しており、かつこの目的のためにそれ自体知られたやり方でＭＲマーカー材料が設けられている。それについて図１１が示す例においては、捕獲構造１は、捕獲構造１のコーティングされた外側面の破線で示唆されるように、全面をＭＥコーティング材料１５によってコーティングされている。
【００３２】
図１１の例において、捕獲ゴブレット４は、捕獲端縁１４を捕獲ゴブレット４の実効捕獲開口部円ＥIと外円ＥAに関して寸法設計するための然るべき順序で、３つの後方のワイヤセクション１３とそれに応じて６つの前方のワイヤセクション１２によって形成されており、それは、図７の実施例についてｎ＝４の後方と８つの前方のワイヤセクションの場合について説明したのと同様であって、それを参照することができる。
【００３３】
図１２は、図１１の実施例の変形を示しており、それにおいて、捕獲構造１の部分面の領域と点状の領域にＭＲマーキング材料１６が設けられている。図１３の詳細な図が、互いに間隔をもって相前後して配置された細長いＭＲマーカー細片１６ａの列による、後方のワイヤセクション１３の部分面のコーティングを示している。その代わりに、あるいはそれに加えて然るべきＭＲマーカー細片を前方のワイヤセクション１２に設けることができる。図１４は、詳細な図において、点状のＭＲマーカースポット１６ｂを示しており、そのマーカースポットはそれぞれ、後方のワイヤセクション１３が２つの前方のワイヤセクション１２へ分岐する分岐箇所の領域に設けられている。
【００３４】
図１５は、引っ張りワイヤ５がワイヤコア５ａとそれを包囲するコアカバー５ｂとによって形成される実施変形例を示しており、その場合にＭＲマーカー材料からなるリング１６ｃが互いに軸方向の間隔をもってワイヤコア５ａ上に設けられて、カバー５ｂによって埋め込まれている。図１６に示す実施変形例において、チューブ形状の被覆６に軸方向に延びるライン形状のＭＲマーカー材料１６ｄが設けられており、そのチューブ状の被覆内に引っ張りワイヤ５が軸方向に移動可能に案内されている。なお、図１１から１６で説明されている、捕獲器具にＭＲ適用のために所望のＭＲ視認を準備する措置は、任意のやり方で互いに組み合わせることができる。
【００３５】
本発明の図示されない実施形態において、捕獲ゴブレットはそのゴブレット本体の領域内に、強く分岐した構造を有している。そのために、遠位で開放したスリットと、それらと軸方向に重なる閉鎖されたスリットの他に、チューブセクションに他の閉鎖されたスリットが形成されており、その場合に他の閉鎖されたスリットは、すでに述べた閉鎖されたスリットと軸方向に重なって、近位方向にそれらを越えて延びている。その場合に好ましくはここでも、他の閉鎖された軸方向のスリットが重なり領域内で他の閉鎖されたスリットと周方向に交代することができる。その場合には、ゴブレット本体の格子状に分岐した構造がもたらされる。
【００３６】
好ましい実施例についての上述した説明が明らかにするように、本発明は、特に医療用の捕獲構造として、たとえばＭＲ適用においても使用され、かつ前側から異物、粒子などの確実な捕獲を許す、捕獲器具を提供する。その場合に捕獲構造は、製造技術的に好ましいやり方でチューブセクションから一体的に形成される。そのために溶接箇所のようなワイヤ結合をわざわざ形成する必要はない。したがって該当する溶接箇所又は接着箇所あるいは他の何らかの結合箇所の破断又は他の不具合を伴う問題が生じることはない。
【図１】
0006549609.tif 000002
【図２】
0006549609.tif 000003
【図３】
0006549609.tif 000004
【図４】
0006549609.tif 000005
【図５】
0006549609.tif 000006
【図６】
0006549609.tif 000007
【図７】
0006549609.tif 000008
【図８】
0006549609.tif 000009
【図９】
0006549609.tif 000010
【図１０】
0006549609.tif 000011
【図１１】
0006549609.tif 000012
【図１２】
0006549609.tif 000013
【図１３】
0006549609.tif 000014
【図１４】
0006549609.tif 000015
【図１５】
0006549609.tif 000016
【図１６】
0006549609.tif 000017